(57)【要約】【課題】利用者による原稿の読み取り開始指示から上記原稿の読み取り処理が開始されるまでの時間を短縮することのできるとともに，ランプ光量減衰に伴う原稿１ページ内での濃度ムラを改善する画像読取装置を提供することにある。【解決手段】露光装置の副走査方向に沿って設けられ，上記露光装置からの光を光学系読取手段に向けて反射する単一反射率面を備えた基準板を備え，上記光学系読取手段は，上記原稿読み取るときに上記基準板の輝度をも読み取るものであり，読み取られた上記基準板の輝度に基づいて，上記光学系読取手段により上記原稿が読み取られるたびに，上記光学系読取手段により読み取られた原稿が１乃至数画素ごとに順次補正され，上記補正されたデータは，上記光学系読取手段により読み取られた原稿の上記１又は複数ラインの範囲ごとに更新されることを特徴とする画像読取装置として構成されている。【選択図】図２
2007142706.tif 000002
【特許請求の範囲】
【請求項１】
原稿に光を照射する露光装置と，上記露光装置から照射され，上記原稿を読み取ることが可能な範囲である原稿読取範囲に載置された原稿で反射された反射光を受光することにより上記原稿を読み取る光学系読取手段とを備えた画像読取装置であって，
上記原稿読取範囲とは別の位置に上記露光装置の副走査方向に沿って設けられ，上記露光装置から照射された光を上記光学系読取手段に向けて反射する単一反射率面を備えた基準板を備え，
上記光学系読取手段は，上記原稿の１又は複数ラインの範囲を読み取るときに上記基準板の輝度をも読み取るものであり，
読み取られた上記基準板の輝度に基づいて，上記光学系読取手段により上記原稿が読み取られるたびに，上記光学系読取手段により読み取られた原稿が１乃至数画素ごとに順次補正され，上記補正されたデータは，上記光学系読取手段により読み取られた原稿の上記１又は複数ラインの範囲ごとに更新されることを特徴とする画像読取装置。
【請求項２】
自動原稿搬送装置を更に備えてなる請求項１に記載の画像読取装置。
【請求項３】
フラットベットスキャナを備えた画像読取装置であって，上記基準板が少なくとも上記原稿読取範囲における上記副走査方向の長さと同じ長さであり，副走査方向と平行に設けられるものである請求項１又は２のいずれかに記載の画像読取装置。
【請求項４】
上記基準板の２以上の箇所についての輝度の平均値に基づいて，データを補正する請求項１〜３のいずれかに記載の画像読取装置。
【請求項５】
予め定められた条件が充足された時点で，上記補正を禁止する請求項１〜４のいずれかに記載の画像読取装置。
【請求項６】
上記予め定められた条件が，当該画像読取装置本体の上面に開閉自在に設けられた原稿カバーが開放されたことである請求項５に記載の画像読取装置。
【発明の詳細な説明】
【技術分野】
【０００１】
本発明は，画像読取装置に関し，特に，露光装置から照射された光を反射する基準板の輝度に基づいて原稿のデータを補正する画像読取装置に関するものである。
【背景技術】
【０００２】
画像読取装置では，原稿に光を照射する露光装置の露光量が適切でない状態で原稿が読み取られると，読み取られた画像の品質が低下することが知られている。
また，露光装置の照度は、環境条件などによって変化するので、反射率が一定の基準板からの反射強度（輝度）を測定し、これが一定となるように露光装置の出力を補正することが一般に行われているが、露光装置に用いられるハロゲンランプなどの光源は，図１に示すように，点灯後，時間の経過に従い露光量が徐々に低下し，数秒経過後に露光量が安定するという露光特性（ランプ特性）を有する。従って，露光量が安定する前（例えば，図１におけるｔ１）に，基準板の輝度の読み取りを行い，上記輝度に基づいて例えば，図１におけるｔ２に露光装置の出力補正を行うと，図１における時刻ｔ１とｔ２における露光量に差があるため，適切な補正を行うことができない。
従って，特許文献１に記載の画像読取装置では，利用者によって原稿の読み取り開始を指示されると，露光装置の露光量が安定してから基準板の輝度の読み取りが行われ，読み取られた上記基準板の輝度に応じて，読み取られた原稿のデータが原稿ごとに補正される。
【特許文献１】特開平６−９８０９４号公報
【発明の開示】
【発明が解決しようとする課題】
【０００３】
しかしながら，特許文献１に記載の画像読取装置では，上記露光装置の露光量が安定するまで上記基準板の輝度の読み取りを行うことができず，利用者によって原稿の読み取りの開始を指示されてから上記原稿の読み取り処理を開始するまでに時間がかかるという問題があった。
従って，本発明は上記事情に鑑みてなされたものであり，その目的とするところは，利用者による原稿の読み取り開始指示から上記原稿の読み取り処理が開始されるまでの時間を短縮するとともに，ランプ光量減衰に伴う原稿１ページ内での濃度ムラを改善することのできる画像読取装置を提供することにある。
【課題を解決するための手段】
【０００４】
上記目的を達成するために本発明は，原稿に光を照射する露光装置と，上記露光装置から照射され，上記原稿を読み取ることが可能な範囲である原稿読取範囲に載置された原稿で反射された反射光を受光することにより上記原稿を読み取る光学系読取手段とを備えた画像読取装置であって，上記原稿読取範囲とは別の位置に上記露光装置の副走査方向に沿って設けられ，上記露光装置から照射された光を上記光学系読取手段に向けて反射する単一反射率面を備えた基準板を備え，上記光学系読取手段は，上記原稿の１又は複数ラインの範囲を読み取るときに上記基準板の輝度をも読み取るものであり，読み取られた上記基準板の輝度に基づいて，上記光学系読取手段により上記原稿が読み取られるたびに，上記光学系読取手段により読み取られた原稿が１乃至数画素ごとに順次補正され，上記補正されたデータは，上記光学系読取手段により読み取られた原稿の上記１又は複数ラインの範囲ごとに更新されることを特徴とする画像読取装置として構成されている。
上記のような画像読取装置は，自動原稿搬送装置を更に備えていることが考えられる。
このように，上記光学系読取手段は，上記原稿の１又は複数ラインの範囲を読み取るときに上記基準板の輝度をも略同時に読み取るものとして構成され、この光学系読取手段による読み取り結果に基づいて、上記光学系読取手段により上記原稿が読み取られるたびに，上記光学系読取手段により読み取られた原稿が１乃至数画素ごとに順次補正され，上記補正されたデータは，上記光学系読取手段により読み取られた原稿の上記１又は複数ラインの範囲ごとに更新されるので，原稿の読み取りを開始する際に上記基準板の輝度の読み取りが終わるのを待つ時間が短縮される。
すなわち，読み取られた基準板の輝度に応じて読み取られた原稿のデータが原稿ごとに補正されるのではなく，上記光学系読取手段により上記原稿が読み取られるたびに，上記光学系読取手段により読み取られた原稿が１乃至数画素ごとに順次補正され，上記補正されたデータは，上記光学系読取手段により読み取られた原稿の上記１又は複数ラインの範囲ごとに更新されることになるので，上記露光装置の露光量が安定していない時点であっても，上記１又は複数ラインの範囲の読み取りという短い時間にその都度補正された原稿のデータが更新されるので，上記露光装置の露光量が安定するまで原稿の読み取り開始を遅らせる必要がない。従って，利用者による原稿の読み取り開始指示から上記原稿の読み取り処理が開始されるまでの時間を短縮することができる。
上記のような上記原稿の１又は複数ラインの範囲を読み取るときに上記基準板の輝度を略同時に読み取るための基準板として，画像読取装置がフラットベットスキャナを備えた画像読取装置である場合には，上記基準板が少なくとも上記原稿読取範囲における上記副走査方向の長さと同じ長さであり，副走査方向と平行に設けられるものが考えられる。
このような基準板を用いることにより、基準板の面積を最小にすることが出来る。
上記基準板に汚れやゴミなどが付着すると上記基準板の輝度に影響する。上記基準板の１箇所から輝度を読み取った場合，その１箇所に汚れやゴミが付着すると，汚れやゴミの輝度に基づいて読み取られた原稿のデータの補正を行うことになってしまい，読み取られた原稿のデータに適切な補正を行うことができない。しかし，上記基準板の２以上の箇所についての輝度の平均値に基づいて読み取られた原稿のデータを補正すれば、ゴミの存在による誤差を抑制することができることになる。
一方，当該画像読取装置本体の上面に開閉自在に設けられた原稿カバーが開放されたことといった予め定められた条件が充足された時点で，上記補正を禁止することが好ましい。
上記原稿カバーが開放された状態では，当該画像読取装置の外から多量の光が入り込み，基準板の読み取りに外乱となるからである。
【発明の効果】
【０００５】
上記したところから明らかなように、本発明によれば，利用者による読み取り開始指示から原稿の読み取り処理が開始されるまでの時間の短縮を実現しうる画像読取装置を提供することができる。
また，本発明に係る画像読取装置では，原稿を連続して読み取る際に発生する露光装置のランプ光量の減衰に対しても，原稿単位ではなくライン単位で補正できるため，原稿間における補正濃度差を抑制することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図２は本発明の実施の形態に係る画像読取装置Ｘの概略構成を示す模式図，図３は本発明の実施の形態に係る画像読取装置Ｘの制御系統のブロック図，図４は本発明の実施の形態に係る画像読取装置Ｘの制御部３０により実行される画像読み取り処理及び画像処理演算部４０により実行される補正処理の手順についてその一例を説明するためのフローチャートである。
【０００７】
まず，図２の模式図と図３のブロック図を用いて，本発明の実施の形態に係る画像読取装置Ｘの概略構成について説明する。図２（ａ）は，画像読取装置Ｘの側面から見た模式断面図，（ｂ）は（ａ）に示す矢印Ｐ方向から見た平面図である。
上記画像読取装置Ｘは，制御系として図３に示すように，原稿を読み取る画像読取部２０と，これらを統括的に制御する制御部３０と，上記画像読取部２０で読み取られた原稿のデータを処理する画像処理演算部４０と，上記画像読取部２０により読み取られた原稿のデータや上記画像処理演算部４０で用いられる式やプログラムなどを記憶するメモリである記憶部５０とを備え，ハードウエアとしては、図２に示すように，上記各構成装置などを収容すると共に上記画像読取装置Ｘの筐体となる画像読取装置本体１０と，該画像読取装置本体１０の上面に開閉自在に設けられた原稿カバー１１と，上記画像読取装置本体１０の上面に設けられ原稿を載置するための矩形のコンタクトガラス１２と，上記コンタクトガラス１２の近傍に設けられ上記画像読取部２０から照射された光を反射する白色或いは灰色などの単一反射率の反射板である基準板１３と，該画像読取装置本体１０の上面正面側に設けられた液晶モニターなどの表示部１４と，上記表示部１４の近傍に設けられテンキーなどを含み原稿の読み取りを開始する指示などの入力操作を行うことができる操作入力部１５と，該画像読取装置本体１０の上面に設けられ上記原稿カバー１１の開閉を検知するセンサである不図示の原稿カバー開閉検知センサにより構成されている。
上記画像処理演算部４０は，上記画像処理演算部４０により実行される処理で使用されるデータを一時的に記憶するメモリである不図示の一時記憶部を有している。
【０００８】
図２の模式図を用いて，上記画像読取部２０について説明する。
図２（ａ）に示すように，上記画像読取部２０は，上記コンタクトガラス１２に載置された原稿に光を照射するハロゲンランプなどの露光装置２１と上記原稿からの反射光を上記コンタクトガラス１２を介して受光するミラー２２からなるキャリッジＣ１と，上記キャリッジＣ１により受光された反射光を後記の光学レンズ２５に導く導光ミラー２３，２４からなるキャリッジＣ２と，上記導光ミラー２３，２４を介して導かれた反射光を集光するレンズである光学レンズ２５と，上記光学レンズ２５により集光された反射光に含まれる画像情報を電気信号に変換するＣＣＤ（Charge Coupled Device）２６により構成されている。
上記キャリッジＣ１，Ｃ２は，図２（ａ），（ｂ）において矢印Ｐ１やＰ２方向にそれぞれ移動可能である。上記キャリッジＣ２は上記キャリッジＣ１の移動に伴って，上記キャリッジＣ１により受光された反射光を上記光学レンズ２５に導き易い位置に移動する。上記キャリッジＣ１が図２（ｂ）において位置Ａから矢印Ｐ１方向に移動することにより，上記キャリッジＣ１に備えられている上記露光装置２１は，上記コンタクトガラス１２の一端すなわち位置Ａから上記コンタクトガラス１２の他端すなわち位置Ｂまでの範囲と，上記基準板１３に光を照射する。
すなわち，上記コンタクトガラス１２に覆われた原稿載置範囲が原稿読取範囲に相当する。
ところで，上記画像読取装置Ｘがフラットベットスキャナを備えた画像読取装置である場合には，図２（ｂ）に示すように，上記基準板１３は，上記コンタクトガラス１２の長手方向すなわち図２（ｂ）においてＰ１方向の長さ（位置Ａから位置Ｂまでの長さ）と同じ長さであり，図２（ｂ）においてＰ１方向，すなわち，原稿読取範囲における副走査方向の長さと同じ長さであり，副走査方向と平行に設けられている。また，上記基準板１３の図２（ｂ）においてＰ３方向の長さは，主走査方向と平行なラインにおいて少なくとも２箇所から輝度を計測するのに必要な長さとされることが望ましいが、これに限られるものではない。
このような構成にすると，基準板１３の設置面積を最小にすることができる。
【０００９】
次に，図４のフローチャートを用いて，本発明の実施の形態に係る画像読取装置Ｘの制御部３０により実行される画像読み取り処理及び画像処理演算部４０により実行される補正処理の手順についてその一例を説明する。
図４（ａ）は，本発明の実施の形態に係る画像読取装置Ｘの制御部３０により実行される画像読み取り処理の手順についての一例を説明するためのフローチャート，図４（ｂ）は，画像処理演算部４０により実行される補正処理の手順についての一例を説明するためのフローチャートである。
図中のＳ１０，Ｓ２０…は処理手順（ステップ）番号を示し，処理はステップＳ１０より開始される。
【００１０】
まず，上記制御部３０により実行される画像読み取り処理について説明する。
ステップＳ１０では，利用者により原稿の読み取りが指示されたか否かが，上記制御部３０により，判断される。具体的には，上記利用者により上記操作入力部１５により上記原稿の読み取りを開始する指示が入力されれば，上記制御部３０により上記原稿の読み取り指示があったと判断され（ステップＳ１０のＹｅｓ側），処理はステップＳ２０に移行する。
【００１１】
ステップＳ２０では，上記原稿及び上記基準板１３が全く読み取られていない場合すなわち，上記記憶部５０に上記原稿の画像データが記憶されていない場合には，上記制御部３０により，上記キャリッジＣ１は初期位置である図２の位置Ａに移動される。それ以外は，上記制御部３０により，上記キャリッジＣ１は副走査方向（図２（ｂ）において矢印Ｐ１方向）に１又は複数ライン分移動される。
【００１２】
ステップＳ３０では，上記露光装置２１により上記コンタクトガラス１２に載置された原稿の主走査方向（図２において矢印Ｐ１方向）に平行な１又は複数ラインの範囲及び上記原稿の主走査方向に平行な１又は複数ラインの範囲の延長線上にある上記基準板１３に光が照射される。上記原稿の主走査方向に平行な１又は複数ラインの範囲により，上記コンタクトガラス１２を介して，上記露光装置２１から照射された光が反射され，上記原稿の主走査方向における１又は複数ラインの範囲の延長線上にある上記基準板１３からも，上記露光装置２１から照射された光が反射され，処理はステップＳ４０に移行する。
【００１３】
ステップＳ４０では，上記ＣＣＤ２６により，上記原稿の主走査方向に平行な１又は複数ラインの範囲が１乃至数画素ごとに順次読み取られるときに，上記原稿の主走査方向に平行な１又は複数ラインの範囲の延長線上にある上記基準板１３の輝度も読み取られる。具体的には，上記原稿の主走査方向に平行な１又は複数ラインの範囲により反射された光及び上記原稿の主走査方向に平行な１又は複数ラインの範囲の延長線上にある上記基準板１３から反射された光が，上記ミラー２２により受光され，上記導光ミラー２３，２４に導かれて上記光学レンズ２５により集光される。上記ＣＣＤ２６により，上記光学レンズ２５により集光された反射光に含まれる画像情報は１乃至数画素ごとに電気信号に変換される。すなわち，上記原稿の主走査方向に平行な１又は複数ラインの範囲のうち，１乃至数画素ごとに画像データＩＤ（ｘ）が作成され，上記原稿の主走査方向に平行な１又は複数ラインごとに，上記原稿の主走査方向に平行な１又は複数ラインの範囲の延長線上にある基準板１３の輝度データＫとが作成され，上記記憶部５０に記憶され，処理は上記画像処理演算部４０による後述の補正処理（ステップＳ１００〜Ｓ１５０）へ移行する。上記輝度データＫは，上記基準板１３の主走査方向に平行な１ラインにつき少なくとも２箇所から計測された輝度データＫ１，Ｋ２が含まれている。上記作成された画像データＩＤ（ｘ）と輝度データＫは，上記画像処理演算部４０による補正処理（ステップＳ１００〜Ｓ１５０）に用いられる。
上記のように，上記ＣＣＤ２６は，上記原稿の１又は複数ラインの範囲から反射された光を受光し電気信号に変換するときに上記基準板１３から反射された光を受光し上記輝度データＫを作成するので，原稿の読み取りを開始する際に原稿１枚分全体の補正処理完了を待つ必要がなく，原稿読み取り開始指示から原稿読み取り開始処理までの時間が短縮される。
【００１４】
続いて，図４（ｂ）のフローチャートを用いて，上記画像処理演算部４０による補正処理について説明する。
図中のＳ１００，Ｓ１１０…は処理手順（ステップ）番号を示し，処理はステップＳ１００より開始される。
ここでは，上記画像読取部２０で上記原稿の主走査方向に平行な１ラインのうち１画素ずつ読み取られた原稿を上記基準板１３のデータに基づいて順次補正し，補正されたデータを１ラインずつ更新する例について説明する。
まず，ステップＳ１００では，上記画像処理演算部４０により，上記ステップＳ４０で作成され上記記憶部５０に記憶された上記原稿の主走査方向に平行な１ラインのｘ番目の画像データＩＤ（ｘ）及び上記基準板１３の輝度データＫが入力される。
【００１５】
ステップＳ１１０では，ステップＳ１００で入力された輝度データＫのうち少なくとも２以上の箇所について平均処理を行う。例えば，上記入力された輝度データＫ１，Ｋ２を用いると，
平均輝度データＫ′＝（Ｋ１＋Ｋ２）÷２
となる。
上記平均輝度データＫ′は，後記のステップＳ１２０で行われる補正係数を計算する際に用いられる。平均したデータを用いることで，ゴミの存在による上記基準板１３の輝度の誤差が抑制される。
【００１６】
続いて，ステップＳ１２０では，上記入力された１ラインのｘ番目の画像データＩＤ（ｘ）に補正処理を行う際に，個々の画素に対する濃度を補正するシェーディング補正とは別に，等倍率で補正するための補正係数αを計算する。
ここで，予め定められた条件が充足された時点で，等倍率での補正が禁止される場合がある。上記予め定められた条件が充足される場合の一例として，上記原稿カバー１１が開放されたことがある。上記原稿カバー開閉検知センサにより上記原稿カバー１１の開放が検知されれば，上記補正係数αは０とし，等倍率での補正は実行されない。
上記原稿カバー１１が閉じていれば，上記補正係数αは，上記平均輝度データＫ′に基づいて計算される。
このように上記原稿カバー１１が開放された状態で読み取られた原稿に補正を行う場合補正係数αを０とするのは，上記原稿カバー１１が開放された状態では，上記画像読取装置Ｘの外から多量の光が入り込み，上記基準板１３の読み取りに外乱となるからである。
【００１７】
続いて，ステップＳ１３０では，上記ステップＳ１２０で計算された補正係数αを用いて，シェーデング補正処理及び等倍率での補正処理により上記１ラインのｘ番目の画像データＩＤ（ｘ）の補正を行う。具体的には，次のような式（１）で補正することができる。
【数１】
2007142706.tif 000003
・・・（１）
Ｗｈｉｔｅ（ｘ）はｘ番目の白基準データ，Ｂｌａｃｋ（ｘ）はｘ番目の黒基準データ，ＯＤ（ｘ）はｘ番目の出力データ，ＩＤ（ｘ）はｘ番目の入力データ，ｎはＷｈｉｔｅ（ｘ），Ｂｌａｃｋ（ｘ），ＯＤ（ｘ），ＩＤ（ｘ）のｂｉｔ数，αは上記ステップＳ１２０で計算された補正係数である。
このようにして，上記１ラインのｘ番目の画像データＩＤ（ｘ）は補正が行われ画像データＯＤ（ｘ）となり，上記画像処理演算部４０により上記画像処理演算部４０に備えられた一時記憶部に一時的に記憶され，処理はステップＳ１４０へ移行する。
【００１８】
ステップＳ１４０では，上記画像処理演算部４０により，上記一時記憶部に記憶された画像データＯＤが，１ライン分記憶されたか否かが判断される。上記画像処理演算部４０により，上記一時記憶部に記憶された画像データＯＤが，１ライン分記憶されたと判断されれば（ステップＳ１４０のＹｅｓ側），処理はステップＳ１５０に移行する。上記画像処理演算部４０により，上記一時記憶部に記憶された画像データＯＤが，１ライン分記憶されていないと判断されれば，処理はステップＳ１００に戻り，補正された画像データＯＤが一時記憶部に１ライン分記憶されるまで処理が繰り返される。
【００１９】
ステップＳ１５０では，上記画像処理演算部４０により，上記一時記憶部に記憶された１ライン分の補正された画像データＯＤが出力され，上記記憶部５０に記憶された原稿の１ライン分の画像データは，上記出力された１ライン分の補正された画像データＯＤに，１ライン分まとめて置き換えられる。すなわち，上記光学系読取手段により読み取られた原稿が１乃至数画素ごとに順次補正され，上記補正されたデータは，上記光学系読取手段により読み取られた原稿の上記１又は複数ラインの範囲ごとに更新されることに相当する。
このように，読み取られた基準板１３の輝度に応じて読み取られた原稿の画像データＩＤ（ｘ）が原稿単位で補正されるのではなく，上記ＣＣＤ２６により上記原稿が読み取られるたびに，上記ＣＣＤ２６により読み取られた原稿が１乃至数画素ごとに順次補正され，上記補正されたデータは，上記ＣＣＤ２６により読み取られた原稿の上記１又は複数ラインの範囲ごとに更新されることにより，上記露光装置２１の露光量が安定していない時点であっても，上記１又は複数ラインの範囲の読み取りという短い時間に，その都度補正された原稿のデータが更新されるので，原稿１ページ内での上記露光装置２１の光量の変動に対応することができ，ランプ光量減衰に伴う原稿１ページ内での濃度ムラを改善することが可能となる。更に，上記露光装置２１の露光量が安定するまで原稿の読み取り開始を遅らせなくてもよいので，利用者による原稿の読み取り開始指示から上記原稿の読み取り処理が開始されるまでの時間を短縮することができる。
【００２０】
続いて，図４（ａ）において，ステップＳ５０では，原稿読取範囲すべての読み取りが終了したか否かが判断される。上記キャリッジＣ１が図２（ｂ）において上記コンタクトガラス１２の端すなわち位置Ｂまで到達していなければ，上記キャリッジＣ１に備えられている上記露光装置２１により上記コンタクトガラス１２の端まで光が照射されていないことになり，上記制御部３０により，原稿読取範囲すべての読み取りがすべて終了していないと判断され（ステップＳ５０のＮｏ側），処理はステップＳ２０に戻り，原稿の１又は複数ラインの範囲の読み取り，すなわち上記ステップＳ２０〜ステップＳ５０の処理が繰り返される。このようにして原稿読取範囲全ての読み取りが終了すると（ステップＳ５０のＹｅｓ側），処理は終了する。
なお，上記画像読取装置Ｘは，自動原稿搬送装置を備えた画像読取装置でもかまわない。
【図面の簡単な説明】
【００２１】
【図１】露光装置の露光特性を示すグラフ図。
【図２】本発明の実施の形態に係る画像読取装置Ｘの概略構成を示す模式図。
【図３】本発明の実施の形態に係る画像読取装置Ｘの制御系統のブロック図。
【図４】本発明の実施の形態に係る画像読取装置Ｘの制御部３０により実行される画像読み取り処理及び画像処理演算部４０により実行される補正処理の手順についてその一例を説明するためのフローチャート。
【符号の説明】
【００２２】
１０…画像読取装置本体
１１…原稿カバー
１２…コンタクトガラス
１３…基準板
１４…表示部
１５…操作入力部
２０…画像読取部
２１…露光装置
２２…ミラー
２３，２４…導光ミラー
２５…光学レンズ
２６…ＣＣＤ
３０…制御部
４０…画像処理演算部
５０…記憶部
【図１】
2007142706.tif 000004
【図２】
2007142706.tif 000005
【図３】
2007142706.tif 000006
【図４】
2007142706.tif 000007